(57)【要約】 【課題】制御盤の内部の温度を下げるとともに、制御盤の操作が容易にできる「掘ごたつ用の制御盤の構造」の提供を目的とする。【解決手段】  図２に示すように、制御盤１２は略立方体形状で、制御盤１２の本体部１２ｂが前記側面５の前記床面Fの近傍に、掘ごたつ本体２の内部側２ｂから外部側２ｃに貫通して設けられ、蓋部１２ａが掘ごたつ本体２の内部側２ｂから取付けられる。このとき、制御盤１２の蓋部１２ａを含み掘ごたつ本体２の内部側２ｂに露出する表面積Ｍ１と、前記制御盤１２の本体部１２ｂが掘ごたつ本体２の外部側２ｃに露出する表面積Ｍ２との関係が、表面積Ｍ１＜表面積Ｍ２になるように設置される。  さらに、外部側２ｃに露出する本体２の上方と下方に空気孔Ｓがそれぞれ設けられる。【選択図】図２
2005207628.tif 000002
【特許請求の範囲】
【請求項１】
上方が開口し底面とこの底面の外周端から立ち上がる側面とからなる掘ごたつ本体に前記底面と前記側面の内部側に本体ヒータを配設するとともに前記掘ごたつ本体の上部に天面ヒータを収容した座卓が設置されて、
リモコン送信部からの無線信号を受信して前記本体ヒータと前記天面ヒータの温度制御をする制御盤を有する掘ごたつであって、前記制御盤が前記側面の上端部の近傍に、掘ごたつ本体の内部側から外部側に貫通して設けられることを特徴とする掘ごたつ用の制御盤の構造。
【請求項２】
請求項１記載の掘ごたつ用の制御盤の構造であって、前記制御盤が掘ごたつ本体の内部側に露出する表面積よりも前記制御盤が掘ごたつ本体の外部側に露出する表面積の方が大きい（広い）ことを特徴とする掘ごたつ用の制御盤の構造。
【請求項３】
請求項１又は請求項２に記載の掘ごたつ用の制御盤の構造であって、前記制御盤が掘ごたつ本体の外部側に露出する表面部に空気孔を設けたことを特徴とする掘ごたつ用の制御盤の構造。
【請求項４】
請求項３に記載の掘ごたつ用の制御盤の構造であって、前記空気孔は２箇所に設けたことを特徴とする掘ごたつ用の制御盤の構造。
【発明の詳細な説明】
【技術分野】
【０００１】
本発明は、掘ごたつ用の制御盤の構造に関する。
【背景技術】
【０００２】
従来、電気堀ごたつにおいて、掘枠に設けられた発熱体ユニットの発熱量を設定する操作は、電源コードの中間部に設けられたコントローラにより行うものであった。そのため、操作を行う場所が限られてしまったり、コントローラがこたつ布団の下に隠れて見つけ難いなど等、取扱い性、操作性が不自由であった。これを解消するのにワイヤレスリモコンによる方法が求められていた。
【０００３】
「特許文献１」には、掘枠と、掘枠上部に設置されたやぐらと、マイクロ波を制御信号で変調して送信するリモコン送信部を中央に内蔵した食卓台と、リモコン送信部から送信されたマイクロ波を受信し制御信号を復調して掘枠下面中央に設置された発熱体ユニットに収納された発熱体を制御するリモコン受信部とで構成される掘こたつが開示されている。
【特許文献１】特開平１０−８９７０２号公報
【発明の開示】
【発明が解決しようとする課題】
【０００４】
ところが、上記の、掘枠下面中央に設置された発熱体ユニットに収納された発熱体を制御するリモコン受信部の構成による堀ごたつでは、制御盤がこたつ内部の高温雰囲気〔略４０℃〕に置かれるので、制御盤の温度が上がり、マイコン、通電を制御するリレー等の電子部品の使用可能温度範囲を超えることがあった。このため使用環境が悪いので誤動作や寿命の低下が発生するという問題があった。そして、使用できる電子部品の制限によってコストが嵩むという問題があった。
【０００５】
そこで、本発明は、制御盤の内部の温度を下げることにより、電子部品の寿命を向上させると共に、コストを下げることのできる「掘ごたつ用の制御盤の構造」の提供を目的とする。
【０００６】
制御盤の操作が容易にできて利便性に優れる「掘ごたつ用の制御盤の構造」の提供を目的とする。
【課題を解決するための手段】
【０００７】
請求項１の発明は、上方が開口し底面とこの底面の外周端から立ち上がる側面とからなる掘ごたつ本体に前記底面と前記側面の内部側に本体ヒータを配設するとともに前記掘ごたつ本体の上部に天面ヒータを収容した座卓が設置されてなる掘ごたつであって、リモコン送信部からの無線信号を受信して前記本体ヒータと前記天面ヒータの温度制御をする制御盤が前記側面の上端部の近傍を貫通して設けられることを特徴としている。これにより、床下の低い温度を制御盤に伝えることできる。制御盤を手の届く位置に配設できる。
【０００８】
請求項２の発明は、請求項１記載の掘ごたつ用の制御盤の構造であって、前記制御盤が掘ごたつ本体の内部側に露出する表面積よりも前記制御盤が掘ごたつ本体の外部側に露出する表面積の方が大きい（広い）ことを特徴としている。これにより、床下の低い温度を制御盤に効果的に伝えることできる。
【０００９】
請求項３の発明は、請求項１又は請求項２に記載の掘ごたつ用の制御盤の構造であって、前記制御盤が掘ごたつ本体の外部側に露出する表面部に空気孔を設けたことを特徴としている。これにより、床下の低い温度の空気を制御盤に流入させることできる。
【００１０】
請求項４の発明は、請求項３に記載の掘ごたつ用の制御盤の構造であって、前記空気孔は２箇所に設けたことを特徴としている。これにより、床下の低い温度の空気を制御盤にさらに効果的に流入させることできる。
【発明の効果】
【００１１】
請求項１の発明によれば、リモコン送信部からの無線信号を受信して前記本体ヒータと前記天面ヒータの温度制御をする制御盤が前記側面の上端部の近傍を貫通して設けられる。このため、制御盤の内部の温度を下げることできる。また、制御盤が手の届く位置にあるので、容易に操作することができて利便性が優れる
請求項２の発明は、前記制御盤が掘ごたつ本体の内部側に露出する表面積よりも前記制御盤が掘ごたつ本体の外部側に露出する表面積の方が大きい（広い）。このため、制御盤の内部の温度を下げることできる。
【００１２】
請求項３の発明は、前記制御盤が掘ごたつ本体の外部側に露出する表面部に空気孔を設けている。このため、制御盤の内部の温度を下げることできる。
【００１３】
請求項４の発明は、前記空気孔は２箇所に設けている。このため、制御盤の内部の温度を下げることできる。
【発明を実施するための最良の形態】
【００１４】
＜掘ごたつ用の操作盤の構造の構成＞
以下に、本発明の第１の実施形態を図１に基づいて説明する。
【００１５】
図１に示すように、掘ごたつ１は、上方が開口し底面３とこの底面３の外周端４から立ち上がる側面５とからなる掘ごたつ本体２に前記底面３と前記側面５の内部側２ｂに本体ヒータ６（底面ヒータ６ａ、側面ヒータ６ｂ）を収容するとともに前記掘ごたつ本体２の上部に天面ヒータ７ａを収容する座卓７が設置される。そして、リモコン送信部１０からの無線信号１１を受信して前記本体ヒータ６と前記天面ヒータ７ａの温度制御をする制御盤１２が前記側面５の前記床面Fの近傍に掘ごたつ本体２の内部側２ｂから外部側２ｃに貫通して設けられ、この制御盤１２に前記本体ヒータ６と前記天面ヒータ７ａへ電気を送る電源コンセント１３が配設される。
【００１６】
ここで、床面Fは、前記掘ごたつ本体２の上端部２０と前記座卓７の下端部２１の間に位置し、床面Fの下部で掘ごたつ本体２が据え付けられていない空間が床下Ｆ１である。
【００１７】
掘ごたつ本体２の箱体２ａは例えば１２ｍｍ厚さの合板が使用され、掘ごたつ本体２の側面５の前記本体ヒータ６（底面ヒータ６ａ、側面ヒータ６ｂ）の表面には化粧合板１５が配設され、堀ごたつ本体２の箱体２ａの外部側には、例えば２０ｍｍ厚さで発泡断熱材ウレタン製の断熱材１６が配設される。なお、断熱材１６は、箱体２ａと本体ヒータ６との間に設けられることもある。
【００１８】
制御盤１２の蓋部１２ａには、天面ヒータ７ｂに電源供給する電源コンセント１３があり、この電源コンセント１３に電源プラグ１４を接続して天面ヒータ用電源コード１７に接続される。電源コンセント１３が制御盤１２の蓋部１２ａに設けられていると、座卓７を取り外す際に電源コンセント１３から電源プラグ１４を容易に引抜くことができるので利便性に優れる。
【００１９】
本体ヒータ用電源ケーブル１８は、制御盤１２の本体部１２ｂから本体ヒータ６に、掘ごたつ本体２の外部側２ｃから掘ごたつ本体２の貫通孔２ｄを通って側面ヒータ６ｂまで電源供給される。この本体ヒータ用電源ケーブル１８は通常取り外す必要がないので、制御盤１２の本体部１２ｂの外部側２ｃ（床下Ｆ１）に設置された電源コンセント２３から配線される。また、制御盤１２への電源線１９（ＡＣ１００Ｖ）が配線されている。
【００２０】
制御盤１２は、通常はリモコン送信部１０からの発信信号を受けて動作するが、制御盤１２が受信する信号は、堀ごたつに布団をかけた状態では赤外線式リモコンの信号は届かないので布団があっても信号が届く電波式が採用されている。そして、リモコン送信部１０の故障、電池切れ、紛失などの非常事態のときでも制御盤１２のみで操作することができるようになっている。このとき、制御盤１２が前記側面５の前記床面Fの近傍を貫通して設けられるので、手が制御盤１２に届くので容易に操作することができる。
【００２１】
図２に示すように、制御盤１２は略立方体形状で、制御盤１２の本体部１２ｂが前記側面５の前記床面Fの近傍を掘ごたつ本体２の内部側２ｂから外部側２ｃに貫通して設けられ、蓋部１２ａが掘ごたつ本体２の内部側２ｂから取付けられる。このとき、制御盤１２の蓋部１２ａを含み掘ごたつ本体２の内部側２ｂに露出する表面積Ｍ１と、前記制御盤１２の本体部１２ｂが掘ごたつ本体２の外部側２ｃに露出する表面積Ｍ２との関係が、表面積Ｍ１＜表面積Ｍ２になるように設置される。
【００２２】
さらに、外部側２ｃである床下Ｆ１に露出する堀ごたつ本体２の上方と下方に空気孔Ｓがそれぞれ設けられる。
【００２３】
制御盤１２の内部には、図示しないマイコン、通電を制御するリレー等の電子部品を納められる。図３（a）に示すように、制御盤１２の蓋部１２ａには、入／切スイッチ３０と温度設定スイッチ３１の操作部、および温度設定表示ランプ３２と通電表示ランプ３３の表示部を備えている。
【００２４】
さらに、制御盤１２の蓋部１２ａには、天面ヒータ用電源コード１７用の電源プラグ１４を差し込む電源コンセント１３が配設される。この電源コンセント１３及び電源プラグ１４は専用特殊形状であり、（単相交流と接地用の）３個の差込孔１３ａ、１３ｂ、１３ｃが水平方向に1列に配設される。このとき、差込孔の長さＴが異なっており、（差込孔１３ａの長さ＝差込孔１３ｂの長さ）＜（差込孔１３ｃの長さ）の関係がある。
【００２５】
図３（ｂ）に示すように、制御盤１２の上記蓋部１２ａには本体部１２ｂと嵌合して組付けされる挿入部１２ｃが設けられている。
【００２６】
図３（ｃ）に示すように、制御盤１２の本体部１２ｂの後面１２ｄには、本体ヒータ用電源ケーブル１８が本体部１２ｂに設置された電源コンセント２３に取付けられる。なお、電源コンセント２３は底面ヒータ６ａと側面ヒータ６ｂ用に２個取付けられている。この電源コンセント２３は一般的な３孔式で電源用と接地用とからなる。また、電源線１９が本体部１２ｂを貫通して制御盤１２内に配線される。
【００２７】
図４（a）に示すように、この電源コンセント１３及び電源プラグ１４は専用特殊形状であり、電源プラグ１４には３本の栓刃１４ａ、１４ｂ、１４ｃが一列に配置されており、それぞれ、上記の電源コンセント１３の３個の差込孔１３ａ、１３ｂ、１３ｃに対応して、栓刃の長さＴが異なっており、（栓刃１４ａの長さ＝栓刃の１４ｂの長さ）＜（栓刃１４ｃの長さ）である。これにより、図４（ｂ）に示すように、電源コンセント１３及び電源プラグ１４は決められた方向にだけ間違いなく差し込むことができる。
【００２８】
電源プラグ１４は制御盤１２の蓋部１ａに天面ヒータ用電源コード１７が、蓋部１２ａに向って横方向（図４（ｂ）図では右側に取付けられるが、左方向であっても良い）に取付けられる。天面ヒータ用電源コード１７は制御盤１２の側面１２ｅに沿って床面方向Ｐに向って配線される。
【００２９】
＜掘ごたつ用の操作盤の構造の作用＞
上述したように、制御盤１２の蓋部１２ａを含む掘ごたつ本体２の内部側２ｂに露出する表面積Ｍ１と、前記制御盤１２の本体部１２ｂが掘ごたつ本体２の外部側２ｃに露出する表面積Ｍ２との関係が、表面積Ｍ１＜表面積Ｍ２になるように設置される。
【００３０】
ここで、掘ごたつ本体２の内部側２ｂの温度よりも床下Ｆ１の温度（ｔ３とする）の方が低いので、制御盤１２の内部温度（ｔ１とする）は掘ごたつ本体２の内部側２ｂの温度（ｔ２とする）に対して、ｔ１＜１／２（ｔ２＋ｔ３）となる。すなわち、表面積Ｍ１＝表面積Ｍ２のときはｔ１＝１／２（ｔ２＋ｔ３）であるが、表面積Ｍ１＜表面積Ｍ２のときは、制御盤１２の内部温度をより一層低くできる効果が得られる。表面積Ｍ１と表面積Ｍ２の差が大きい程より大きな効果が得られる。
【００３１】
一般的に、これらの温度状況は、ｔ２が３５〜４５℃程度で、ｔ３が５〜１０℃なので、制御盤１２の内部温度ｔ１は、略２３．８℃以下（表面積Ｍ１＜表面積Ｍ２）となる。この温度は所謂常温域であるので、電子部品類の寿命の低下の恐れはなくなり、使用できる電子部品の制限もないので、コストを軽減できる。
【００３２】
床下Ｆ１に露出する堀ごたつ本体２の上方と下方に空気孔Sがそれぞれ設けられる。このとき、制御盤１２の内部温度ｔ１と床下Ｆ１の温度ｔ３の相互願系はｔ１＞ｔ３であるので、ｔ１とｔ３の温度差によって空気の自然対流現象が発生するので、制御盤１２内の高い温度の空気が上方の空気孔Ｓから床下Ｆ１に抜けだすとともに、床下Ｆ１の低い温度の空気が制御盤１２の下方の空気孔Ｓより制御盤１２に流入されるので、制御盤１２の内部温度を低くする効果を更に得ることができる。
【００３３】
さらに、制御盤が手の届く位置にあるので、容易に操作することができて利便性に優れる
次に、図５に示すように、前記掘ごたつ１は前記掘ごたつ本体２と座卓７の下端１の間に床面Fを挟んで補強材４６の上に据え付けられ、リモコン送信部１０からの信号が制御盤１２送られる。制御盤１２への電源線１９（ＡＣ１００Ｖ）が図示しないブレーカーを通して配線されている。
【００３４】
ここで、本体ヒータ用電源ケーブル１８は直接人に触れない位置に配設されているが、制御盤１２から座卓７に導かれる天面ヒータ用電源コード１７は人の足に触れることがあるので、足を出入する際に天面ヒータ用電源コード１７を引っ掛けてしまい、プラグ／コンセント部４７の不完全接触が生じるおそれがある。
【００３５】
このため、上述したように、天面ヒータ用電源コード１７用の電源プラグ１４を差し込む電源コンセント１３と電源プラグ１４が専用特殊形状で構成され、電源プラグ１４は制御盤１２の蓋部１２ａに天面ヒータ用電源コード１７が蓋部１２ａに向って横方向に取付けられ、天面ヒータ用電源コード１７は制御盤１２の側面１２ｅに沿って床面方向Ｐに向って配線される。このため、上への引っ張りに強い構造となり、コンセント部の不完全接触が起こることがない。
【００３６】
そして、天面ヒータ用電源コード１７の位置を気にしなくてもよいので、座る場所を選ばず安全快適にリモコン操作ができる。
【００３７】
＜その他の実施形態＞
次に、本発明の第２の実施形態を説明する。
【００３８】
図６に示すように、電源コンセント４０及び電源プラグ４１が一般品の場合には、電源プラグ４１が制御盤１２の蓋部１２ａに差し込まれて、天面ヒータ用電源コード１７が天面ヒータ７ａまで配線される途中で、床面Ｆ近傍の掘ごたつ本体２の内部側２ｂに天面ヒータ用電源コード１７の一部が取付け具４２に固定されてもよい。また、床面F近傍の制御盤１２に、天面ヒータ用電源コード１７の一部を固定してもかまわない。
【００３９】
この場合、コンセント部に直接の負荷が掛からないので、引っ張りに強い構造となり、コンセント部の不完全接触が起こることがないので、安全性が向上する。
【００４０】
以上、本発明の実施形態を図面に基づいて説明したが、上記の実施例はいずれも本発明の一例を示したものであり、本発明はこれらに限定されるべきでないということはいうまでもない。
【００４１】
例えば、電源コンセント１３及び電源プラグ１４の（栓刃１４ａの長さ＝栓刃の１４ｂの長さ）＜（栓刃１４ｃの長さ）の関係が（栓刃１４ａの長さ＝栓刃の１４ｂの長さ）＞（栓刃１４ｃの長さ）であってもよい。さらに、これ以外の組み合わせも可能である。
【００４２】
掘ごたつ本体２の側面５の前記本体ヒータ６（底面ヒータ６ａ、側面ヒータ６ｂ）と表面の化粧合板１５からなる構成は、カーペットヒータであっても構わない。
【図面の簡単な説明】
【００４３】
【図１】本発明の第１の実施形態における掘ごたつの断面図である。
【図２】図１の制御盤１２近傍の拡大断面図である。
【図３】本発明の第１の実施形態における制御盤の蓋の、（a）は、正面図、（ｂ）は、側面図、（ｃ）は、制御盤の本体部の後正面図である。
【図４】本発明の第１の実施形態における、（a）は、天面ヒータ用の電源プラグの斜視図、（ｂ）は、天面ヒータ用の電源プラグが制御盤の電源コンセントに差し込まれた状態を示す図である。
【図５】本発明の第１の実施形態における掘ごたつの組付け状態を示す斜視図である。
【図６】本発明の第２の実施形態における制御盤近傍の断面図である。
【符号の説明】
【００４４】
１  掘ごたつ
２  掘ごたつ本体
２ｂ  内部側
２ｃ  外部側
３  底面
４  外周端
５  側面
６  本体ヒータ
６ａ  底面ヒータ
６ｂ  側面ヒータ
７  座卓
７ａ  天面ヒータ
１０  リモコン送信部
１１  無線信号
１２  制御盤
１２ａ  蓋部
１２ｂ  本体部
１３  電源コンセント
２０  上端部
２１  下端部
F  床面
Ｍ１  表面積
Ｍ２  表面積
Ｓ  空気孔
【図１】
2005207628.tif 000003
【図２】
2005207628.tif 000004
【図３】
2005207628.tif 000005
【図４】
2005207628.tif 000006
【図５】
2005207628.tif 000007
【図６】
2005207628.tif 000008